(57)【要約】【課題】コスト及び組立工数を削減するとともに容積効率を向上できる冷蔵庫を提供する。【解決手段】貯蔵物を収納する貯蔵室６と、冷気を生成する冷却器５７と、冷却器５７で生成した冷気が流通する冷気通路２７と、冷気通路２７に開口して冷気を貯蔵室６に吐出する吐出口１５ａ、１５ｂと、貯蔵室６の背面に光源２３ａを配した照明装置２０と、光源２３ａの近傍に配されるとともに貯蔵室６の室内温度を検知する温度センサ２３ｂとを備え、温度センサ２３ｂの検知結果に基づいて貯蔵室６の室内温度を制御した。【選択図】図９
2010139078.tif 000002
【特許請求の範囲】
【請求項１】
貯蔵物を収納する貯蔵室と、冷気を生成する冷却器と、前記冷却器で生成した冷気が流通する冷気通路と、前記冷気通路に開口して冷気を前記貯蔵室に吐出する吐出口と、前記貯蔵室の背面上部の左右方向中央部に光源を配した照明装置と、前記光源の近傍に配されるとともに前記貯蔵室の室内温度を検知する温度センサとを備え、前記温度センサの検知結果に基づいて前記貯蔵室の室内温度を制御することを特徴とする冷蔵庫。
【請求項２】
前記光源がＬＥＤから成り、前記光源と前記温度センサとを同一の基板上に実装したことを特徴とする請求項１に記載の冷蔵庫。
【請求項３】
前記光源よりも下方に前記温度センサを実装したことを特徴とする請求項２に記載の冷蔵庫。
【請求項４】
前記光源と前記温度センサとを前記基板の異なる面に配したことを特徴とする請求項３に記載の冷蔵庫。
【請求項５】
前記ＬＥＤを複数水平方向に並設し、前記温度センサを隣接する前記ＬＥＤ間の下方に配置したことを特徴とする請求項３または請求項４に記載の冷蔵庫。
【請求項６】
前記吐出口を前記光源の近傍に配置したことを特徴とする請求項１〜請求項５のいずれかに記載の冷蔵庫。
【請求項７】
前記照明装置は前記光源の出射光を導光する導光板を有し、前記導光板の側面に面して前記光源を配置して前記導光板の前面から照明光を出射することを特徴とする請求項１〜請求項６のいずれかに記載の冷蔵庫。
【発明の詳細な説明】
【技術分野】
【０００１】
本発明は、貯蔵室を照明する照明装置及び貯蔵室の室内温度を検知する温度センサを備えた冷蔵庫に関する。
【背景技術】
【０００２】
従来の冷蔵庫は特許文献１に開示されている。この冷蔵庫は照明装置及び温度検知部を備えている。照明装置の光源は冷蔵室の背面の中央部に配され、冷蔵室内を照明する。温度検知部は冷蔵室の上部側方に配され、冷蔵室内の室内温度を検知する。温度検知部の検知結果に基づいて冷蔵室の室内温度が制御される。
【０００３】
【特許文献１】特開平１０−４７８４９号公報（第３頁−第４頁、第２図）
【発明の開示】
【発明が解決しようとする課題】
【０００４】
しかしながら、上記従来の冷蔵庫によると、光源と温度検知部とが離れて設置される。これにより、それぞれ個別に形成して冷蔵室内に取り付けられるため、冷蔵庫のコスト及び組立て工数が大きくなる問題があった。また、光源と温度検知部の収納スペースが別々に必要となるため庫内容積の容積効率が低下する問題もあった。
【０００５】
本発明は、コスト及び組立工数を削減するとともに容積効率を向上できる冷蔵庫を提供することを目的とする。
【課題を解決するための手段】
【０００６】
上記目的を達成するために本発明は、貯蔵物を収納する貯蔵室と、冷気を生成する冷却器と、前記冷却器で生成した冷気が流通する冷気通路と、前記冷気通路に開口して冷気を前記貯蔵室に吐出する吐出口と、前記貯蔵室の背面上部の左右方向中央部に光源を配した照明装置と、前記光源の近傍に配されるとともに前記貯蔵室の室内温度を検知する温度センサとを備え、前記温度センサの検知結果に基づいて前記貯蔵室の室内温度を制御することを特徴としている。
【０００７】
この構成によると、冷却器で生成された冷気は冷気通路を流通し、吐出口を介して貯蔵室に吐出される。貯蔵室内は照明装置の光源から出射される光により照明され、温度センサの検知結果に基づいて室内温度が制御される。光源及び温度センサは貯蔵室の背面上部の左右方向中央部の収納スペース内に近設される。
【０００８】
また本発明は、上記構成の冷蔵庫において、前記光源がＬＥＤから成り、前記光源と前記温度センサとを同一の基板上に実装したことを特徴としている。この構成によると、発熱の少ないＬＥＤから成る光源と温度センサとが基板により一体化され、同時に設置される。
【０００９】
また本発明は、上記構成の冷蔵庫において、前記光源よりも下方に前記温度センサを実装したことを特徴としている。この構成によると、光源の発熱が上昇して温度センサに対する発熱の影響が低減される。
【００１０】
また本発明は、上記構成の冷蔵庫において、前記光源と前記温度センサとを前記基板の異なる面に配したことを特徴としている。この構成によると、光源の発熱が基板に遮られて温度センサに対する発熱の影響が低減される。
【００１１】
また本発明は、上記構成の冷蔵庫において、前記ＬＥＤを複数水平方向に並設し、前記温度センサを隣接する前記ＬＥＤ間の下方に配置したことを特徴としている。この構成によると、温度センサが発熱する各ＬＥＤから離れて配置される。温度センサと光源とを基板の同じ面に配してもよく異なる面に配してもよい。
【００１２】
また本発明は、上記構成の冷蔵庫において、前記吐出口を前記光源の近傍に配置したことを特徴としている。この構成によると、光源の発熱が冷気によって冷却されるとともに、吐出口から吐出された直後の冷気の影響を受けて室内温度が温度センサによって検知される。
【００１３】
また本発明は、上記構成の冷蔵庫において、前記照明装置は前記光源の出射光を導光する導光板を有し、前記導光板の側面に面して前記光源を配置して前記導光板の前面から照明光を出射することを特徴としている。この構成によると、導光板の側方に配される光源の出射光は導光板に側面から入射して導光し、前面から貯蔵室に向けて出射される。
【発明の効果】
【００１４】
本発明によると、貯蔵室を照明する照明装置の光源の近傍に貯蔵室の室内温度を検知する温度センサを配置したので、貯蔵室背面の収納スペースに光源と温度センサとを同時に取り付けることができ、冷蔵庫の容積効率を向上できるとともに組立工数を削減することができる。
【００１５】
また、同一の基板上に光源と温度センサとを実装したので、光源と温度センサとを容易に一体化できるとともに、コストを削減できるとともに組立工数を更に低減することができる。
【発明を実施するための最良の形態】
【００１６】
以下に本発明の実施形態を図面を参照して説明する。図１、図２は一実施形態の冷蔵庫を示す外観斜視図及び扉を開いた状態の正面から見た斜視図である。冷蔵庫１は冷蔵室６が上部に配され、断熱壁１０を介して下方に冷凍室８、９が配置されている。左右に配される冷凍室８、９の間は縦断熱壁１１により仕切られる。冷蔵室６は右扉２及び左扉３によって開閉され、冷凍室８、９はそれぞれ右扉４、左扉５により開閉される。
【００１７】
冷蔵室６の右扉２及び左扉３の内面には貯蔵物を収納するドアポケット２ａ、３ａがそれぞれ設けられる。冷蔵室６内には貯蔵物を載置する複数の載置棚１２が配される。冷蔵室６に下部には仕切板１３で仕切られた隔離室７が設けられる。隔離室７内には貯蔵物を収納する引き出し式の収納ケース７ａが複数設けられている。
【００１８】
右側の冷凍室８の上部には製氷装置８ａが設けられる。製氷装置８ａの下方には氷を貯める貯氷箱８ｂが配されている。製氷装置８ａ及び貯氷箱８ｂの側方と下方には貯蔵物を収納する収納ケース８ｃが複数設けられる。左側の冷凍室９内にも同様に収納ケース９ｃが複数設けられる。
【００１９】
図３は冷蔵庫１の下部の側面断面図であり、冷凍室８を通る断面を示している。冷蔵庫１の本体部を形成する断熱箱体１ａと冷凍室８内との間には背面板５５で覆われた背面ダクト５６が形成される。背面ダクト５６内は仕切板５６ａにより前後に分割され、前面に複数の背面吐出口６３が開口して後側に冷却器５７が配される。冷却器５７の上方には送風機５８が配される。冷却器５７は冷凍室８、９の下部後方に配された圧縮機５９に接続される。圧縮機５９の駆動により冷媒が流通して冷凍サイクルが運転され、冷却器５７は冷凍サイクルの低温側となる。
【００２０】
縦断熱壁１１は背面板５５に接して配置され、背面ダクト５６に連通する第１、第２冷気ダクト７１、７３が設けられる。冷凍室８、９の底部には第１冷気ダクト７１に連通する底面ダクト７５が設けられる。底面ダクト７５には前面、背面及び縦断熱壁１１から離れた側の側面に冷気戻り口７２が設けられている。
【００２１】
第２冷気ダクト７３の前部には左右の冷凍室８、９に向けてそれぞれ開口する側面吐出口７４が設けられる。尚、断熱壁１０に設けたダンパ６５を開いて冷蔵室６の背面に設けられる冷気通路２７（図５参照）に冷気が送出される。
【００２２】
図４は冷蔵室６の背面を形成するパネル組品１４を正面から見た斜視図を示している。また、図５、図６はパネル組品１４の背面図及び側面断面図を示している。また、図７は図６の要部詳細図である。パネル組品１４は隔離室７の上方に配され、背面側に冷気が流通する冷気通路２７を形成する。
【００２３】
パネル組品１４は樹脂成形品から成るパネル１５を有し、パネル１５の前面側には金属（アルミニウムやステンレス）等の熱良導体から成る部材１８が配される。部材１８の両側方には半透明の樹脂から成るランプカバー１６、１７が設けられる。
【００２４】
パネル１５の上部の左右方向の中央部には照明室２０ａがパネル１５と一体に形成される。照明室２０ａの左右には冷気を吐出する吐出口１５ａ、１５ｂが開口する。照明室２０ａ内には照明装置２０が背面からネジ止めされる。照明室２０ａの上方にはカバー１９が設けられる。尚、ランプカバー１６、１７の後方にもＬＥＤを有した同様の照明装置が配される。
【００２５】
パネル１５の背面には発泡断熱材により形成されるダクト２８が配される。パネル１５は部材１８の取り付け部分が開口し、ダクト２８が部材１８に接して設けられる。ダクト２８の周囲には断熱箱体１ａ（図３参照）に当接する枠材２８ｇが設けられ、枠材２８ｇにより冷気通路２７の外形が形成される。冷気通路２７はダンパ６５（図３参照）に連通する。ダンパ６５の開成により冷却器５７で生成された冷気が冷気通路２７を下方から上方に向かって流通し、吐出口１５ａ、１５ｂから冷蔵室６内に吐出される。
【００２６】
冷気通路２７はダクト２８の背面に突設されるリブ３２によって左右方向に３分割され、右から順（図５の背面図では左から順）に右通路２９、中通路３０、左通路３１が設けられる。右通路２９、中通路３０、左通路３１は上部で合流するようになっている。
【００２７】
冷気通路２７の終端は枠材２８ｇの上端部から成るダクト２８の上壁２８ｃにより形成される。ダクト２８の上壁２８ｃは右部２８ｄ及び左部２８ｅに対して中央部２８ｆが下方に配される。中央部２８ｆの上方に照明室２０ａが形成され、右部２８ｄ及び左部２８ｅに沿って吐出口１５ａ、１５ｂが形成される。
【００２８】
これにより、中通路３０を上昇する冷気は上壁２８ｃの中央部２８ｆに衝突して左右に分岐し、吐出口１５ａ、１５ｂに導かれる。従って、中央部２８ｆは冷気通路２７の気流の一部を遮って左右に分岐させる遮蔽部を構成する。
【００２９】
また、中央部２８ｆの近傍にはイオン発生装置８６が配されるイオン発生室２８ａがダクト２８と一体に形成される。イオン発生室２８ａに対向する断熱箱体１ａにはイオン発生室２８ａの方向に冷気を導く傾斜面から成る案内部２７ａが形成されている。
【００３０】
図８、図９は照明装置２０の分解斜視図及び平面図を示している。照明装置２０はベース２１、導光板２２、基板２３、反射シート２４を有している。ベース２１は樹脂成形品から成り、基板２３を収納する収納部２１ａが一端に形成される。導光板２２は透明樹脂から成り、前面に出射面２２ｃを有して背面側に傾斜面２２ｂが形成される。
【００３１】
基板２３には導光板２２の側方に配された光源となるＬＥＤ２３ａが実装される。ＬＥＤ２３ａの出射光は導光板２２を導光し、傾斜面２２ｂで反射して前面の出射面２２ｃに導かれる。出射面２２ｃの出射光によって冷蔵室６内が照明される。導光板２２にはＬＥＤ２３ａとの対向面積を広く得るために、ＬＥＤ２３ａの先端が挿入される凹部２２ａが側面に形成される。反射シート２４は透明粘着材により導光板２２に接着されるアルミ箔から成り、上方に漏れる光を反射して出射面２２ｃに導く。
【００３２】
図１０、図１１、図１２は基板２３の上面図、側面図及び正面図を示している。ＬＥＤ２３ａは基板２３の一面に実装され、同じ面にコネクタ２３ｃが実装される。基板２３のＬＥＤ２３ａと反対側の面にはサーミスタ２３ｂが実装される。コネクタ２３ｃにはコネクタ２５ａ（図８参照）を介してリード線２５（図８参照）が接続され、ＬＥＤ２３ａ及びサーミスタ２３ｂに電源が供給される。
【００３３】
収納部２１ａは一部が開口して冷蔵室６内と連通し、冷蔵室６内の冷気が流入してサーミスタ２３ｂにより温度検知される。サーミスタ２３ｂの検知結果によりダンパ６５（図３参照）を開閉して冷蔵室６内の温度が制御される。従って、基板２３にＬＥＤ２３ａ及びサーミスタ２３ｂを実装して少ない容積で庫内照明及び温度制御を行い、容積効率の向上を図ることができる。
【００３４】
この時、ＬＥＤ２３ａを光源として用いることにより発熱量を少なくすることができる。また、収納部２１ａは右側の吐出口１５ａ近傍に配置されるため、ＬＥＤ２３ａを冷却することができる。これにより、ＬＥＤ２３ａの発熱によるサーミスタ２３ｂの検知精度の低下を防止することができる。
【００３５】
加えて、サーミスタ２３ｂはＬＥＤ２３ａよりも下方に取り付けられるとともに、ＬＥＤ２３ａとは反対側の面に取り付けられる。これにより、ＬＥＤ２３ａの発熱によるサーミスタ２３ｂの検知精度の低下を更に防止することができる。
【００３６】
図１３は照明装置２０の正面断面図を示している。また、図１４は図１３の要部拡大図である。基板２３は収納部２１ａの上面開口部から挿入され、収納部２１ａ内に設けられたリブ２１ｂ、２１ｃによって挟まれて固定されている。この時、基板２３から突出するコネクター２３ｃはベース２１の下面から側方に突出する突出部２１ｄとこれに対向する収納部２１ａの内壁との間を通過する。そして、基板２３がリブ２１ｂの上面に形成される傾斜面によって図中、左方に案内され、リブ２１ｂ、２１ｃ間に基板２３が固定される。
【００３７】
これにより、基板２３が導光板２２の方向に移動し、導光板２２の凹部２２ａ（図９参照）にＬＥＤ２３ａの先端が入り込む。このため、ＬＥＤ２３ａが凹部２２ａに接近して光を漏れなく導光板２２に伝えることができる。また、収納部２１ａの下部の導光板２２側は開口してコネクター２３ｃの先端が配される。これにより、コネクター２３ｃ、２５ａを容易に接続できるとともに、リード線２５（図４参照）に無理な応力がかからないようにできる。尚、コネクター２３ｃ、２５ａを接続した後に基板２３を収納部２１ａに組み込んでもよい。
【００３８】
また、基板２３と収納部２１ａの内面との間に絶縁性を有するスポンジ状のスペーサーを押入してもよい。これにより、基板２３のガタツキを防止し、ＬＥＤ２３ａと導光板２２との間隔を安定して所定の間隔に維持することができる。
【００３９】
尚、図１５に示すように、基板２３上に複数のＬＥＤ２３ａを水平に設け、ＬＥＤ２３ａの下方にサーミスタ２３ｂを配置してもよい。これにより、ＬＥＤ２３ａの発熱のサーミスタ２３ｂに対する影響を低減できる。この時、図１６に示すように、隣接するＬＥＤ２３ａの下方にサーミスタ２３ｂを配置するとよい。これにより、サーミスタ２３ｂがＬＥＤ２３ａから離れてＬＥＤ２３ａの発熱の影響をより低減できる。尚、上記と同様に、基板２３のＬＥＤ２３ａと反対側の面にサーミスタ２８ｂを取り付けるとより望ましい。
【００４０】
図１７、図１８はイオン発生装置８６の正面図及び側面断面図を示している。イオン発生装置８６は絶縁体から成るハウジング８６ａにより覆われ、針状の放電電極８６ｐ、８６ｑが離れて配される。放電電極８６ｐ、８６ｑの周囲には環状の誘導電極８６ｅが配される。イオン発生室２８ａ（図５参照）内で放電電極８６ｐ、８６ｑは左右方向に並設され、冷気通路２７を上昇する気流に対して交差する方向に離れて配置される。
【００４１】
ハウジング８６ａには放電電極８６ｐ、８６ｑに対向する貫通孔８６ｂが設けられる。これにより、イオン発生面８６ｄに放電電極８６ｐ、８６ｑが露出する。貫通孔８６ｂはイオン発生室２８ａの冷気通路２７に面して開口する開口部２８ｂ（図５参照）に対向する。これにより、放電電極８６ｐ、８６ｑは冷気通路２７に面して配されている。
【００４２】
放電電極８６ｐ、８６ｑと誘導電極８６ｅとの間のイオン発生部８６ｆで発生したイオンはイオン発生室２８ａ内に流入した冷気と混合され、開口部２８ｂから冷気通路２７に流出する。
【００４３】
また、イオン発生面８６ｄにはフィルタ８６ｈを配した通気孔８６ｇが両貫通孔８６ｂの間に形成される。通気孔８６ｇはハウジング８６ａ内部でイオン発生部８６ｄと連通し、通気孔８６ｇからハウジング８６ａ内に流入した冷気はイオン発生部８６ｄから流出する。このため、イオン発生部８６ｆで発生したイオンを停滞させずに冷気に含ませることができる。
【００４４】
尚、フィルタ８６ｈにより左右のイオン発生部８６ｆの間が隔離され、プラスイオンとマイナスイオンの衝突による消滅を少なくしてイオン供給効率を向上させることができる。左右のイオン発生部８６ｆ間に両者を隔離するリブを設けてもよい。
【００４５】
放電電極８６ｐ、８６ｑには誘導電極８６ｅに対して正極性または負極性の高電圧がそれぞれ印加される。これにより、放電電極８６ｐ、８６ｑと誘導電極８６ｅとの間に形成されるイオン発生部８６ｆに例えばコロナ放電によりそれぞれプラスイオン、マイナスイオンが発生する。
【００４６】
例えば、一方の放電電極８６ｐには正電圧が印加され、電離により発生するイオンが空気中の水分と結合して主としてＨ+（Ｈ2Ｏ）ｍから成る電荷が正のクラスタイオンを発生する。他方の放電電極８６ｑには負電圧が印加され、電離により発生するイオンが空気中の水分と結合して主としてＯ2-（Ｈ2Ｏ）ｎから成る電荷が負のクラスタイオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分及び貯蔵物の付着菌の表面で凝集してこれらを取り囲む。
【００４７】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分等を破壊する。ここで、ｍ’、ｎ’は任意の自然数である。従って、プラスイオン及びマイナスイオンを発生して吐出口１５ａ、１５ｂから吐出することにより室内の殺菌及び臭い除去を行うことができる。
【００４８】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４９】
尚、イオン発生装置８６は針状の放電電極８６ｐ、８６ｑ及び誘導電極８６ｅを有しているが、他の構成であってもよい。例えば、図１９に示すように、イオン発生面８６ｄに平面状の放電電極８６ｐが配されたイオン発生装置であってもよい。また、図２０に示すように、電源部８６ｊにリード線８６ｋにより接続された針状の放電電極８６ｐを有するイオン発生装置であってもよい。
【００５０】
上記構成の冷蔵庫１において、冷却器５７で熱交換して生成された冷気は送風機５８の駆動により背面ダクト５６の前側に導かれ、背面板５５に設けた複数の背面吐出口６３から上下に分散して冷凍室８、９内に吐出される。背面吐出口６３から吐出された冷気は前方へ導かれて収納ケース８ｃ、９ｃの周囲を流通する。
【００５１】
また、背面ダクト５６の前側から第２冷気ダクト２３を流通する冷気は複数の側面吐出口７４から上下に分散して冷凍室８、９内に吐出される。側面吐出口７４から吐出された冷気は縦断熱壁１１から離れる方向に導かれて収納ケース８ｃ、９ｃの周囲を流通する。そして、冷凍室８、９内を流通した冷気は冷気戻り口７２を介して底面ダクト７５に流入し、第１冷気ダクト７１を介して冷却器５７に戻る。これにより、冷凍室８、９内が冷却される。
【００５２】
断熱壁１０に設けたダンパ６５が開かれると冷蔵室６の背面に設けられる冷気通路２７に冷気が送出される。冷気通路２７は冷蔵室６の左右にわたって形成され、ダンパ６５から左右に通路が拡幅される。これにより、冷気通路２７の流路面積が広くなるため冷気の流速が減速される。
【００５３】
冷気通路２７に流入した冷気は右通路２９、中通路３０、左通路３１に分散して上昇する。イオン発生装置８６で発生したイオンは開口部２８ｂを介してイオン発生室２８ａから流出し、主として中通路３０を通過した冷気に含まれる。中通路３０を上昇する冷気はダクト２８の上壁２８ｃの中央部２８ｆに衝突して遮られ、渦流が生じて攪拌される。
【００５４】
これにより、イオンが渦流によって攪拌され、冷気中に均一に含まれる。この時、２つの開口部８６ｂの一方からプラスイオンを放出して他方からマイナスイオンが放出されると、攪拌によってプラスイオンとマイナスイオンは衝突して減少する。このため、開口部８６ｂの一方からプラスイオンを継続して放出されるとともに他方からマイナスイオンが継続的に放出される。これにより、一の放電電極で交互に正負のイオンを発生するよりもイオンの発生量が増加して衝突による減少の影響を小さくできる。
【００５５】
また、中通路３０のイオン発生装置８６の近傍は傾斜面から成る案内部２７ａによって冷気がイオン発生室２８ａに向かうように案内される。これにより、冷気がイオン発生室２８ａ内に流入してイオンを含んで流出するため、イオン発生装置８６で発生したイオンが冷気通路２７内に流出し易くなる。
【００５６】
そして、イオンを含む冷気は上壁２８ｃの中央部２８ｆによって左右に分岐して吐出口１５ａ、１５ｂに導かれ、右通路２９及び左通路３１を通過した冷気と合流して冷蔵室６内に吐出される。冷蔵室６の上部に配される吐出口１５ａ、１５ｂから吐出された冷気は冷蔵室６内を流下して貯蔵物を冷却し、冷気に含まれるイオンによって冷蔵室６内が除菌される。
【００５７】
また、冷気通路２７を流通する冷気の冷熱はダクト２８を介して部材１８に伝えられる。加えて、吐出口１５ａ、１５ｂから流下する冷気の冷熱が部材１８に伝えられる。冷蔵室６の背面を覆う部材１８は熱良導体から成るため、部材１８全体から冷熱が放出される。これにより、冷蔵室６内の温度分布を均一にすることができる。
【００５８】
尚、パネル組品１４の強度を上げるため、部材１８とダクト２８の間にパネル１５の壁面を設けてもよい。また、ダクト２８やパネル１５の厚みを調節して冷熱の放出量を調節してもよく、場合によっては、開口して直接部材１８に冷気が接するようにしてもよい。
【００５９】
また、冷蔵室６の右扉２や左扉３を開いた際に冷蔵室６内に外気が流入し、外気に含まれる水分が部材１８と接触して結露する。部材１８の結露は右扉２や左扉３を閉じた後に蒸発して冷蔵室６内が保湿される。このため、貯蔵物の乾燥を低減できるとともに、水分子と結合したクラスタイオンを大きくすることができる。これにより、イオンが消滅しにくくなるため冷蔵室６の隅々までイオンを搬送することができる。
【００６０】
本実施形態によると、冷蔵室６を照明する照明装置２０の光源となるＬＥＤ２３ａの近傍に冷蔵室６の室内温度を検知するサーミスタ２３ｂ（温度センサ）を配したので、冷蔵室６背面の収納スペース（収納部２１ａ）に光源とサーミスタ２３ｂとを同時に取り付けることができ、冷蔵庫１の容積効率を向上できるとともに組立工数を削減することができる。
【００６１】
また、ＬＥＤ２３ａ（光源）を冷蔵室６の上部の左右方向中央部に配したので、冷蔵室６の全体を隅々まで容易に照明することができる。加えて、冷蔵室６の比較的高温な位置の温度をサーミスタ２３ｂにより検知することができ、冷蔵室６内の冷却不足を防止することができる。
【００６２】
また、同一の基板２３上にＬＥＤ２３ａとサーミスタ２３ｂとを実装したので、ＬＥＤ２３ａとサーミスタ２３ｂとを容易に一体化することができ、コストを削減できるとともに組立工数を更に低減することができる。また、光源をＬＥＤ２３ａにより形成するため発熱量を低減し、近設されるサーミスタ２３ｂの検知精度の低下を防止することができる。
【００６３】
また、ＬＥＤ２３ａよりも下方に温度センサ２３ａを実装したので、ＬＥＤ２３ａの発熱が上昇してサーミスタ２３ｂの検知精度の低下をさらに防止することができる。
【００６４】
また、ＬＥＤ２３ａとサーミスタ２３ｂとを基板２３の異なる面に配したので、発熱が基板２３で遮蔽されてサーミスタ２３ｂの検知精度の低下をさらに防止することができる。
【００６５】
また、ＬＥＤ２３ａを複数水平方向に並設し、サーミスタ２３ｂを隣接するＬＥＤ２３ａ間の下方に配置したので、ＬＥＤ２３ａとサーミスタ２３ｂとが離れ、サーミスタ２３ｂの検知精度の低下をさらに防止することができる。
【００６６】
また、吐出口１５ａをＬＥＤ２３ａの近傍に配置したので、ＬＥＤ２３ａを冷却してＬＥＤ２３ａの発熱によるサーミスタ２３ｂの検知精度の低下をさらに防止することができる。
【００６７】
また、照明装置２０が導光板２２を有し、導光板２２の側面に面してＬＥＤ２３ａを配置して導光板２２の前面から照明光を出射するので、照明装置２０の奥行を小さくして庫内容積を増加し、容積効率をより向上することができる。
【００６８】
本実施形態においてイオン発生装置８６によってプラスイオンとマイナスイオンとを冷気通路２７に放出しているが、マイナスイオンのみを放出してもよい。
【産業上の利用可能性】
【００６９】
本発明は、貯蔵室を照明する照明装置及び貯蔵室の室内温度を検知する温度センサを備えた冷蔵庫に利用することができる。
【図面の簡単な説明】
【００７０】
【図１】本発明の実施形態の冷蔵庫を示す外観斜視図
【図２】本発明の実施形態の冷蔵庫の扉を開いた状態を示す斜視図
【図３】本発明の実施形態の冷蔵庫の下部を示す側面断面図
【図４】本発明の実施形態の冷蔵庫のパネル組品を示す斜視図
【図５】本発明の実施形態の冷蔵庫のパネル組品を示す背面図
【図６】本発明の実施形態の冷蔵庫のパネル組品を示す側面断面図
【図７】図６の要部詳細図
【図８】本発明の実施形態の冷蔵庫の照明装置を示す分解斜視図
【図９】本発明の実施形態の冷蔵庫の照明装置を示す平面図
【図１０】本発明の実施形態の冷蔵庫の照明装置の基板を示す上面図
【図１１】本発明の実施形態の冷蔵庫の照明装置の基板を示す側面図
【図１２】本発明の実施形態の冷蔵庫の照明装置の基板を示す正面図
【図１３】本発明の実施形態の冷蔵庫の照明装置を示す正面断面図
【図１４】図１３の要部詳細図
【図１５】本発明の実施形態の冷蔵庫の照明装置の基板上の他の光源の配置を示す正面図
【図１６】本発明の実施形態の冷蔵庫の照明装置の基板上の他の光源の配置を示す正面図
【図１７】本発明の実施形態の冷蔵庫のイオン発生装置を示す正面図
【図１８】本発明の実施形態の冷蔵庫のイオン発生装置を示す側面断面図
【図１９】本発明の実施形態の冷蔵庫の他のイオン発生装置を示す斜視図
【図２０】本発明の実施形態の冷蔵庫の他のイオン発生装置を示す斜視図
【符号の説明】
【００７１】
１    冷蔵庫
１ａ  断熱箱体
６    冷蔵室
７    隔離室
８、９  冷凍室
１０    断熱壁
１１    縦断熱壁
１４    パネル組品
１５    パネル
１５ａ、１５ｂ  吐出口
１８    部材
２０    照明装置
２０ａ  照明室
２１    ベース
２１ａ  収納部
２２    導光板
２３    基板
２３ａ  ＬＥＤ
２３ｂ  サーミスタ
２７    冷気通路
２７ａ  案内部
２８    ダクト
２８ａ  イオン発生室
２８ｂ  開口部
２８ｃ  上壁
２８ｆ  中央部
２９    右通路
３０    中通路
３１    左通路
５５    背面板
５６    背面ダクト
５７    冷却器
５８    送風機
５９    圧縮機
６３    背面吐出口
６５    ダンパ
７１    第１冷気ダクト
７２    冷気戻り口
７３    第２冷気ダクト
７４    側面吐出口
７５    底面ダクト
８６    イオン発生装置
８６ａ  ハウジング
８６ｂ  貫通孔
８６ｄ  イオン発生面
８６ｅ  誘電電極
８６ｆ  イオン発生部
８６ｇ  通気孔
８６ｈ  フィルタ
８６ｐ、８６ｑ  放電電極
【図１】
2010139078.tif 000003
【図２】
2010139078.tif 000004
【図３】
2010139078.tif 000005
【図４】
2010139078.tif 000006
【図５】
2010139078.tif 000007
【図６】
2010139078.tif 000008
【図７】
2010139078.tif 000009
【図８】
2010139078.tif 000010
【図９】
2010139078.tif 000011
【図１０】
2010139078.tif 000012
【図１１】
2010139078.tif 000013
【図１２】
2010139078.tif 000014
【図１３】
2010139078.tif 000015
【図１４】
2010139078.tif 000016
【図１５】
2010139078.tif 000017
【図１６】
2010139078.tif 000018
【図１７】
2010139078.tif 000019
【図１８】
2010139078.tif 000020
【図１９】
2010139078.tif 000021
【図２０】
2010139078.tif 000022